(57)【要約】【課題】主に、自動販売機等に用いられ硬貨や紙幣等の貨幣の識別を行う貨幣識別装置に関し、確実な動作のものを提供することを目的とするものである。【解決手段】電圧検出部１７と特定機能入力部であるリセット入力部３Ｂとの間に電圧検出部１７からの信号を反転する反転部１９を設けると共に、電圧検出部１７は駆動電源５Ａの電圧が所定の電圧値以上でロー信号を、所定の電圧値未満でハイ信号を各々出力することによって、低い電圧になった時にも、制御部３の瞬間的な起動が発生することがなく、次の起動時に制御部３の安定した動作が可能な紙幣識別装置を実現することができる。【選択図】図１
2014206946.tif 000002
【特許請求の範囲】
【請求項１】
駆動電源及び制御電源と、投入口から投入された貨幣を識別する識別手段と、前記駆動電源又は前記制御電源の電圧を検出すると共に前記電圧の値に応じて所定の信号を出力する電圧検出部と、前記電圧検出部に接続された制御部と、この制御部に設けられ、ハイ信号が入力されると前記制御部が通常処理し、ロー信号が入力されると前記制御部が特定機能の処理を行なう特定機能入力部からなり、前記電圧検出部と前記特定機能入力部との間に前記電圧検出部からの信号を反転する反転部を設けると共に、前記電圧検出部は前記電圧が所定値以上でロー信号を、前記所定値未満でハイ信号を各々出力するものとした貨幣識別装置。
【発明の詳細な説明】
【技術分野】
【０００１】
本発明は、自動販売機等に用いられ、投入口から投入された硬貨や紙幣等の貨幣の識別を行う貨幣識別装置に関するものである。
【背景技術】
【０００２】
従来の貨幣識別装置の内、紙幣識別装置を例にあげて図４及び図５を用いて説明する。
【０００３】
図４は従来の紙幣識別装置のブロック回路図であり、１は投入口（図示せず）から挿入され通路（図示せず）上を移動する紙幣を、光学センサーや磁気センサーなどの検出部（図示せず）によって紙幣の光学的印刷パターンや磁気的印刷パターンを検出し、検出した信号から紙幣の種別や真偽を識別する識別部（図示せず）からなる識別手段である。
【０００４】
そして、２は投入口（図示せず）の蓋の開閉操作を行なったり、投入された紙幣を搬送部（図示せず）によって通路上を搬送させるモータやソレノイドなどからなる駆動手段である。
【０００５】
また、３はマイコン等の制御部で不揮発性メモリー等の記憶部４が接続されている。
【０００６】
さらに、５は１００ＶＡＣの供給電源から２４ＶＤＣの駆動電源５Ａに電源を供給する電源部で、ＤＣ−ＤＣコンバータ等の電源ユニット６を介して、５ＶＤＣの制御電源６Ａに電源が供給されている。
【０００７】
そして、７は駆動電源５Ａに抵抗Ｒ１、抵抗Ｒ２等を介して接続され所定の電圧値未満でロー信号を出力するロー信号出力タイプの電源監視ＩＣ（Ｉｎｔｅｇｒａｔｅｄ  Ｃｉｒｃｕｉｔ）等の電圧検出部であり、駆動電源５Ａの電圧が抵抗Ｒ１や抵抗Ｒ２により分圧されて検出電圧として検出入力部７Ａに入力されている。
【０００８】
また、電圧検出部７は、例えば駆動電源５Ａの電圧が通常の正常な電圧である２４Ｖの場合には、抵抗Ｒ１、Ｒ２によって分圧された５．６Ｖの検出電圧が入力されると、内部のトランジスタ出力（オープンコレクタ出力）がＯＦＦとなりハイ信号を検出出力部７Ｂから出力する一方、低めの所定の電圧値である１８Ｖ未満である場合には、４．２Ｖ未満の検出電圧が入力されて、トランジスタ出力がＯＮとなってロー信号を出力するようになっている。
【０００９】
そして、制御部３には制御電源６Ａに接続された電源入力部３Ａ（Ｖｃｃ）と、電圧検出部７からの信号が入力されるリセット入力部３Ｂ（ＲＳＴ）や、グランドに接続されるグランド接続部３Ｃ（ＧＮＤ）等が設けられている。
【００１０】
また、識別手段１、駆動手段２、制御部３、記憶部４、電源部５、電源ユニット６、電圧検出部７等が略箱状の筐体内に収納されて紙幣識別装置が構成されている。
【００１１】
このような紙幣識別装置において、紙幣を投入口から投入すると、搬送部によって通路上を移動し、検出部によって紙幣の光学的印刷パターンや磁気的印刷パターンが検出されると共に、識別手段１が検出部によって検出されたデータから紙幣の種別や真偽を識別する。
【００１２】
このとき駆動電源５Ａからは２４ＶＤＣの電源が識別手段１や駆動手段２等に供給され、制御電源６Ａからは５ＶＤＣの電源が制御部３に供給されている。
【００１３】
また、電圧検出部７は駆動電源５Ａの電圧が正常な電圧値である２４Ｖの場合には、ＯＦＦ状態となってハイ信号を制御部３のリセット入力部３Ｂに出力し、制御部３は起動状態を維持するという通常処理を行なう。
【００１４】
なお、通常、紙幣識別装置の電源部５をＯＦＦにしたときには、駆動電源５Ａの電圧が所定の電圧値、例えば１８Ｖ未満になると、電圧検出部７はＯＮになると共にロー信号をリセット入力部３Ｂに出力して、制御部３はその時点における投入された各金額の紙幣枚数や起動回数や故障履歴などのデータや情報を記憶部４に記憶させた後、初期状態にリセットするという特定機能の処理を行なう。
【００１５】
そして、再び電源部５をＯＮにして、駆動電源５Ａの電圧が所定の電圧値である１８Ｖ以上の２４Ｖになると、電圧検出部７はＯＦＦとなりハイ信号をリセット入力部３Ｂに出力すると共に、記憶部４からリセット前のデータや情報が制御部３に送信されて、制御部３が起動することで紙幣識別装置が正常に起動する通常処理が行なわれるように構成されている。
【００１６】
なお、このような紙幣識別装置において、例えば駆動電源５Ａに接続された識別手段１や駆動手段２等の負荷状態によっては、図５（ａ）の電圧図に示すように、時間Ｔ１で電源部５をＯＦＦした時に、駆動電源５Ａの電圧は比較的急激に低下するのに対し、制御電源６Ａは駆動電源５Ａに比べ緩やかに低下する場合がある。
【００１７】
そして、駆動電源５Ａの電圧が時間Ｔ２で所定の電圧値である１８Ｖ未満になると、図５（ｂ）の信号図に示すように、電圧検出部７はロー信号をリセット入力部３Ｂに出力し、制御部３はリセットする。
【００１８】
さらに、駆動電源５Ａの電圧が降下して時間Ｔ３で検出電圧が約０．８Ｖ近傍になった時には、電圧検出部７はＩＣ特有の現象であるＯＮ状態の保持ができない不安定な状態、所謂、不定状態となり、一時的にＯＦＦ状態となって図５（ｂ）に示すようにハイ信号を出力する場合がある。
【００１９】
そして、このとき制御部３は緩やかに電圧低下して時間Ｔ３後の時間Ｔ４で例えば約１Ｖとなって、この時間Ｔ３とＴ４間の僅かな時間の間だけ、電圧検出部７からのハイ信号によって図５（ｃ）の信号図に示すように、一時的に制御部３が起動する。
【００２０】
このとき、記憶部４にも一時的に情報やデータが記憶されるが、瞬時に制御部３はその機能が停止するため、記憶部４には不完全な誤った情報やデータが記憶されたままとなってしまう。
【００２１】
そして、次に、電源部５をＯＮしたときには、制御部３が起動する際に、記憶部４から不完全な情報やデータが制御部３に読み込まれているため、制御部３は異常と判断して起動できず、所定の回復処置を行なう必要があるものであった。
【００２２】
なお、この出願の発明に関連する先行技術文献としては、例えば、特許文献１が知られている。
【先行技術文献】
【特許文献】
【００２３】
【特許文献１】特開２０１２−２９１３１号公報
【発明の概要】
【発明が解決しようとする課題】
【００２４】
従来の紙幣識別装置においては、駆動電源５Ａに接続される装置内部の負荷状態によっては、電源部５をＯＦＦしたときに駆動電源５Ａの電圧が急激に降下する中で、所定の電圧値以下で制御部３がリセット状態になった後、瞬時の間、電圧検出部７が不定状態となって、制御部３が再起動を行う間もなく停止することによって、次に電源部５が復帰したときに、制御部３が正常に起動できず、所定の回復処置を行う必要があるという課題を有するものであった。
【００２５】
本発明は上記従来の問題点を解決するものであり、駆動電源などの電圧が低電圧状態になって電圧検出部が不定状態になったとしても、次の起動時に確実な動作が可能な貨幣識別装置を提供することを目的とするものである。
【課題を解決するための手段】
【００２６】
上記目的を達成するために本発明は、駆動電源の電圧を検出する電圧検出部と制御部のリセット入力部との間に電圧検出部からの信号を反転する反転部を設け、電圧検出部は所定の電圧値以上ではロー信号を出力し、所定の電圧値未満ではハイ信号を出力するものとした構成を有する。
【発明の効果】
【００２７】
本発明によれば、電圧検出部と制御部のリセット入力部との間に電圧検出部からの信号を反転する反転部を設け、電圧検出部は駆動電源の電圧が所定値未満でハイ信号を出力するものとした構成を備えることにより、駆動電源の電圧が低下して電圧検出部が不定状態になったときにも、電圧検出部はハイ信号が継続されて出力され、このハイ信号が反転部によって反転してロー信号となって制御部のリセット入力部に入力されて、制御部は機能停止するまでリセット状態を維持し、瞬間的な起動状態が生じないため、次に起動した際には制御部が正常に起動できるという作用を有し、確実な動作が可能な貨幣識別装置を得ることができるという効果を有する。
【図面の簡単な説明】
【００２８】
【図１】本発明の一実施の形態における紙幣識別装置のブロック回路図
【図２】同電圧図及び信号図
【図３】同他の実施形態のブロック回路図
【図４】従来の紙幣識別装置のブロック回路図
【図５】同電圧図及び信号図
【発明を実施するための形態】
【００２９】
以下、本発明の実施の形態について、図１〜図３を用いて説明する。
【００３０】
なお、背景技術の項で説明した構成と同一構成の部分には同一符号を付して、詳細な説明を簡略化する。
【００３１】
（実施の形態）
図１は本発明の一実施の形態による紙幣識別装置のブロック回路図であり、１は投入口（図示せず）から挿入され通路（図示せず）上を移動する紙幣を、光学センサーや磁気センサーなどの検出部（図示せず）によって紙幣の光学的印刷パターンや磁気的印刷パターンを検出し、検出した信号から紙幣の種別や真偽を識別する識別部（図示せず）からなる識別手段である。
【００３２】
そして、２は投入口（図示せず）の蓋の開閉操作を行なったり、投入された紙幣を搬送部（図示せず）によって通路上を搬送させるモータやソレノイドなどからなる駆動手段である。
【００３３】
また、３はマイコン等の制御部で不揮発性メモリー等の記憶部４が接続されている。
【００３４】
さらに、５は１００ＶＡＣの供給電源から２４ＶＤＣの駆動電源５Ａに電源を供給する電源部で、ＤＣ−ＤＣコンバータ等の電源ユニット６を介して、５ＶＤＣの制御電源６Ａに電源が供給されている。
【００３５】
そして、１７は駆動電源５Ａに抵抗Ｒ１、抵抗Ｒ２等を介して接続され、所定の電圧値未満でハイ信号を出力するハイ信号出力タイプの電源監視ＩＣ（Ｉｎｔｅｇｒａｔｅｄ  Ｃｉｒｃｕｉｔ）等の電圧検出部であり、駆動電源５Ａの電圧が抵抗Ｒ１や抵抗Ｒ２により分圧されて検出電圧として検出入力部１７Ａに入力されている。
【００３６】
また、電圧検出部１７は、例えば駆動電源５Ａの電圧が通常の正常な電圧である２４Ｖの場合には、抵抗Ｒ１、Ｒ２によって分圧された５．６Ｖの検出電圧が検出入力部１７Ａに入力されると、内部のトランジスタ出力（オープンコレクタ出力）がＯＮとなってロー信号を検出出力部１７Ｂから出力する一方、駆動電源５Ａの電圧が低めの所定の電圧値である１８Ｖ未満の場合には、４．２Ｖ未満の検出電圧が電圧検出部１７に入力され、トランジスタ出力がＯＦＦとなってハイ信号を出力するようになっている。
【００３７】
そして、制御部３には制御電源６Ａに接続された電源入力部３Ａ（Ｖｃｃ）と、電圧検出部１７からの所定の信号が入力されると制御部３をリセットするという特定機能の処理を行なう特定機能入力部であるリセット入力部３Ｂや、グランドに接続されるグランド接続部３Ｃ（ＧＮＤ）等が設けられている。
【００３８】
さらに、電圧検出部１７の検出出力部１７Ｂが抵抗Ｒ３を介してＰＮＰ型のトランジスタ１８のベース部１８Ａに接続されると共に、制御電源６Ａが抵抗Ｒ４を介して同じくベース部１８Ａに接続されている。
【００３９】
また、トランジスタ１８のエミッタ部１８Ｂに制御電源６Ａが、コレクタ部１８Ｃにリセット入力部３Ｂが各々接続されて反転部１９が形成されている。
【００４０】
そして、識別手段１、駆動手段２、制御部３、記憶部４、電源部５、電源ユニット６、電圧検出部１７及び反転部１９等が略箱状の筐体内に収納されて紙幣識別装置が構成されている。
【００４１】
このような紙幣識別装置において、紙幣を投入口から投入すると、搬送部によって通路上を移動し、検出部によって紙幣の光学的印刷パターンや磁気的印刷パターンが検出されると共に、識別手段１が検出部によって検出されたデータから紙幣の種別や真偽を識別する。
【００４２】
このとき駆動電源５Ａからは２４ＶＤＣの電源が識別手段１や駆動手段２等に供給され、制御電源６Ａからは５ＶＤＣの電源が制御部３に供給されている。
【００４３】
そして、図２（ａ）の電圧図に示すように、電圧検出部１７は駆動電源５Ａの電圧が正常な電圧値である２４Ｖの場合には、図２（ｂ）の信号図に示すように、検出出力部１７Ｂからロー信号を出力する。
【００４４】
また、このロー信号が反転部１９で反転されて、図２（ｃ）に示すように、リセット入力部３Ｂにハイ信号が入力されると、制御部３は起動状態を維持するという通常処理を行なう。
【００４５】
なお、例えば電源部５をＯＦＦしたときには、図２（ａ）に示す時間Ｔ１で、駆動電源５Ａの電圧が低下して、時間Ｔ２で所定の電圧値である１８Ｖ未満になると、電圧検出部１７に４．２Ｖ未満の検出電圧が入力されて、図２（ｂ）に示すように、電圧検出部１７はハイ信号を反転部１９に出力する。
【００４６】
このとき、反転部１９に入力されたハイ信号は反転されて、図２（ｃ）に示すように、制御部３のリセット入力部３Ｂにロー信号を出力する。
【００４７】
そして、ロー信号が入力された制御部３はその時点における投入された各金額の紙幣枚数や起動回数や故障履歴などのデータや情報を記憶部４に記憶させると共に、初期状態にリセットする。
【００４８】
次に、再び電源部５をＯＮすると、駆動電源５Ａの電圧が１８Ｖを超えて２４Ｖになると、電圧検出部１７はロー信号を出力し、さらに反転部１９によって反転してハイ信号をリセット入力部３Ｂに出力すると共に、記憶部４からリセット前のデータや情報が制御部３に送信されて、制御部３が起動することで紙幣識別装置が正常に起動する通常処理が行なわれる。
【００４９】
なお、図２（ａ）に示すように、電源部５がＯＦＦされて駆動電源５Ａの電圧が２４Ｖから１８Ｖ、さらに時間Ｔ３で低下して電圧検出部１７が不定状態になる可能性のある電圧になって、検出電圧が約０．８Ｖになった時にも、図２（ｂ）に示すように、電圧検出部１７は内部のトランジスタ出力はＯＦＦのためハイ信号を出力し続ける。
【００５０】
そして、図２（ｃ）、（ｄ）に示すように、反転部１９は電圧検出部１７からのハイ信号を反転してロー信号を出力して、制御部３は制御電源６Ａが完全に０Ｖとなるまで、リセット状態を維持する。
【００５１】
つまり、背景技術の項で説明したように、電圧検出部１７の検出電圧が不定状態となる可能性のある低い電圧になった時にも、電圧検出部１７はハイ信号を出力して反転部１９はロー信号を出力し続けるため、紙幣識別装置が完全停止する前に制御部３が瞬間的に再起動することがない。
【００５２】
したがって、次に電源部５をＯＮにした時には、正常に制御部３が起動し、紙幣識別装置の正常な動作が可能となる。
【００５３】
このように本実施の形態によれば、電圧検出部１７と特定機能入力部であるリセット入力部３Ｂとの間に電圧検出部１７からの信号を反転する反転部１９を設けると共に、電圧検出部１７は駆動電源５Ａの電圧が所定の電圧値である例えば１８Ｖ以上でロー信号を、電圧値が１８Ｖ未満でハイ信号を各々出力するものにすることによって、さらに電圧値が低下して電圧検出部１７が不定状態となる可能性のある低い電圧になった時にも、電圧検出部１７はハイ信号を出力して、反転部１９によってロー信号がリセット入力部３Ｂに入力されるため、制御部３の瞬間的な起動が発生することがなく、次の起動時に制御部３の安定した動作が可能な紙幣識別装置を実現することができるものである。
【００５４】
なお、本発明の実施の形態として、紙幣を識別する紙幣識別装置を例にあげて説明したが、硬貨を識別する硬貨識別装置を含む貨幣識別装置においても本発明の実施は可能である。
【００５５】
また、以上の説明では、特定機能入力部としてリセット入力部を用いた実施の形態で説明したが、リセット入力部に代えて、例えば駆動電源５Ａの電圧が異常事態により所定の電圧値以下になった時に、投入された紙幣枚数、真贋枚数などのデータの記憶処理やモータやソレノイド等の負荷の一時停止などの割り込み処理を行ない、その後、駆動電源５Ａの電圧が所定の電圧値以上に復帰した時に、制御部３を正常動作させる処理を行なう割り込み入力部を用いたものとしても良い。
【００５６】
さらに、以上の説明では、電圧検出部１７を駆動電源５Ａに接続して、駆動電源５Ａの電圧を検出する構成として説明したが、図３のブロック回路図に示すように、制御電源６Ａに電圧検出部２７を直接接続すると共に、トランジスタ等からなる反転部２９を電圧検出部２７とリセット入力部３Ｂとの間に接続した構成としても本発明の実施は可能である。
【００５７】
すなわち、電圧検出部２７が制御電源６Ａの電圧を直接検出して、その電圧が所定値以上でロー信号を、所定値未満でハイ信号を各々出力すると共に、電圧検出部２７からの信号を反転部２９によって反転することによって、制御電源６Ａの電圧が制御部３に不定状態が生じる可能性のある低い電圧になった時にも、特定機能処理部としてのリセット入力部３Ｂにはロー信号が継続して入力されることによって、制御部３が瞬間的に再起動するようなことは生じないため、次の起動時に制御部３の安定した動作が可能となる。
【００５８】
なお、以上の説明では、制御部３に記憶部４を接続させた構成として説明したが、制御部３と記憶部４を一体に形成した制御部であっても本発明の実施は可能である。
【産業上の利用可能性】
【００５９】
本発明による貨幣識別装置は、駆動電源などの電圧が低電圧状態になったとしても、次の起動時に確実な動作が可能なものを得ることができるという有利な効果を有し、主に自動販売機等に用いられる貨幣識別装置として有用である。
【符号の説明】
【００６０】
１  識別手段
２  駆動手段
３  制御部
３Ａ  電源入力部
３Ｂ  リセット入力部
３Ｃ  グランド接続部
４  記憶部
５  電源部
５Ａ  駆動電源
６  電源ユニット
６Ａ  制御電源
１７、２７  電圧検出部
１７Ａ  検出入力部
１７Ｂ  検出出力部
１８  トランジスタ
１８Ａ  ベース部
１８Ｂ  エミッタ部
１８Ｃ  コレクタ部
１９、２９  反転部
【図１】
2014206946.tif 000003
【図２】
2014206946.tif 000004
【図３】
2014206946.tif 000005
【図４】
2014206946.tif 000006
【図５】
2014206946.tif 000007